(57)【特許請求の範囲】
【請求項１】
表示部と、
ユーザーの操作を入力する操作入力部と、
第一の設定ページと第二の設定ページとを切り替え可能に前記表示部に表示させ、入力された前記操作を受け付ける制御部と、
を備え、
前記制御部は、
前記第一の設定ページにおいて第一の設定項目の設定値の変更を受け付けたことにより、前記第一の設定ページの前記第一の設定項目の設定値と、前記第二の設定ページの第二の設定項目であって前記第二の設定ページの設定項目の表示領域には現状含まれない第二の設定項目の設定値とに不整合が生じた場合に、前記第二の設定項目を前記表示領域に配置した前記第二の設定ページを前記表示部に表示させる、
電子機器。
【請求項２】
前記制御部は、前記第一の設定ページにおいて前記変更を受け付けた後、前記第二の設定ページへの切り替えを受け付けると、前記表示領域に前記第二の設定項目を配置した前記第二の設定ページを前記表示部に表示させる、
請求項１に記載の電子機器。
【請求項３】
前記制御部は、前記第一の設定ページにおいて前記変更を受け付けた後、前記第二の設定ページへの切り替えを受け付けると、スクロールしながら前記表示領域に前記第二の設定項目を配置する前記第二の設定ページを前記表示部に表示させる、
請求項２に記載の電子機器。
【請求項４】
前記制御部は、前記第一の設定ページにおいて前記変更を受け付けると、自動的に、前記表示領域に前記第二の設定項目を配置した前記第二の設定ページを前記表示部に表示させる、
請求項１に記載の電子機器。
【請求項５】
前記制御部は、前記不整合が生じたのち初めて前記第二の設定ページを前記表示部に表示させる場合には、前記第二の設定項目を前記表示領域に配置した前記第二の設定ページを表示させ、前記不整合が生じたのち２回目以降に前記第二の設定ページを前記表示部に表示させる場合には、前回第二の設定ページの表示を終了する直前に前記表示領域内に含まれていた設定項目を前記表示領域に配置した前記第二の設定ページを表示させる、
請求項１〜請求項４のいずれかに記載の電子機器。
【請求項６】
前記制御部は、
前記第二の設定項目の設定値を自動変更できない場合には前記第二の設定項目の設定値を自動変更せずに前記第二の設定ページの前記表示領域に配置し、
前記第二の設定項目の設定値を自動変更できる場合には前記第二の設定項目の設定値を自動変更する、
請求項１〜請求項５のいずれかに記載の電子機器。
【請求項７】
第一の設定ページと第二の設定ページとを切り替え可能に表示部に表示させ、操作入力部に入力された操作を受け付ける表示制御機能であって、
前記第一の設定ページにおいて第一の設定項目の設定値の変更を受け付けたことにより、前記第一の設定ページの前記第一の設定項目の設定値と、前記第二の設定ページの第二の設定項目であって前記第二の設定ページの設定項目の表示領域には現状含まれない第二の設定項目の設定値とに不整合が生じた場合に、前記第二の設定項目を前記表示領域に配置した前記第二の設定ページを前記表示部に表示させる表示制御機能を電子機器に実現させる制御プログラム。
【発明の詳細な説明】
【技術分野】
【０００１】
本発明は、電子機器およびその制御プログラムに関する。
【背景技術】
【０００２】
従来、プリンターに対して各種の設定を行う際、複数の設定項目の設定値間で不整合が生じた場合に、ユーザーに再設定を促すことが知られている（例えば特許文献１）。
【先行技術文献】
【特許文献】
【０００３】
【特許文献１】特開２０１２−１８１７６２号公報
【発明の概要】
【発明が解決しようとする課題】
【０００４】
しかし従来は、再設定対象の設定項目をユーザーが設定画面の複数の設定項目の中から探し出すのに手間がかかっていた。
本発明は、電子機器の設定時の使い勝手を向上させることを目的とする。
【課題を解決するための手段】
【０００５】
上記目的を達成するための電子機器は、表示部と、ユーザーの操作を入力する操作入力部と、第一の設定ページと第二の設定ページとを切り替え可能に表示部に表示させ、入力された操作を受け付ける制御部と、を備える。そして制御部は、第一の設定ページにおいて第一の設定項目の設定値の変更を受け付けたことにより、第一の設定ページの第一の設定項目と、第二の設定ページの第二の設定項目であって第二の設定ページの設定項目の表示領域には現状含まれない第二の設定項目の設定値とに不整合が生じた場合に、第二の設定項目を表示領域に配置した第二の設定ページを表示部に表示させる。
【０００６】
すなわち本発明の場合、ユーザーが第一の設定ページにおいて第一の設定項目の設定値を変更したことによって、第二の設定ページの第二の設定項目の現状の設定値と不整合が生じた場合に、第二の設定ページにおいてユーザーは直ちに第二の設定項目を見つけることができる。なぜなら、第一の設定項目の設定値が変更されるまでは第二の設定項目は第二の設定ページにおいて現状は表示対象でないが、変更されたことによって第一の設定項目の設定値と第二の設定項目の設定値とが不整合となると、第二の設定項目は第二の設定ページにおいて自動的に表示対象となるからである。したがって、ユーザーは第二の設定ページにおいて、スクロール等の表示範囲を変更するための操作を行って第二の設定項目を探し出す必要はない。そのため、従来の構成と比較してユーザーの手間を軽減することができ、電子機器の設定時の使い勝手を向上させることができる。
なお、第二の設定ページの設定項目の表示領域に現状含まれる設定項目は、予め固定的に決められた項目であってもよいし、前回第二の設定ページの表示を終了する直前の表示領域に含まれる項目（初期状態（デフォルト状態）においては予め決められた項目）であってもよい。いずれにしても第二の設定項目はそのままでは現状の表示領域に含まれない項目であるが、本発明によると表示領域に含まれる項目となる。
【図面の簡単な説明】
【０００７】
【図１】プリンターの構成を示すブロック図。
【図２】（２Ａ）〜（２Ｃ）は設定画面を示す図。
【図３】表示制御処理を示すフローチャート。
【図４】（４Ａ）〜（４Ｃ）は設定値を示す図。
【図５】（５Ａ）〜（５Ｄ）は設定画面を示す図。
【発明を実施するための形態】
【０００８】
以下、本発明の実施の形態を添付図面を参照しながら説明する。尚、各図において対応する構成要素には同一の符号が付され、重複する説明は省略される。
１．第一実施形態：
１−１．プリンターの構成：
図１は、本発明の実施形態にかかるプリンター１の構成を示すブロック図である。プリンター１は、制御部１０と印刷部２０と画像読取部３０と通信部４０とユーザーＩ／Ｆ部５０とを備え、画像読取機能を有するプリンターとして構成される。
【０００９】
印刷部２０は、インクジェット方式、電子写真方式など周知の印刷方式で写真用紙・普通紙・ＯＨＰシートなどの印刷媒体に印刷を実行するためのアクチュエーターやセンサーや駆動回路や機械部品を備えている。また印刷部２０は印刷前の印刷媒体を載置する給紙トレイ（上トレイと下トレイ）を備えている。画像読取部３０は、原稿台に載置された原稿に発光し原稿からの反射光をＲＧＢの各色に分解してスキャン画像データとする周知のカラーイメージセンサーや、原稿を搬送するためのアクチュエーターや駆動回路や機械部品を備えている。
【００１０】
通信部４０は、外部機器と有線または無線で通信するための各種の通信インターフェースを含む。また、通信部４０は、プリンター１に装着された各種のリムーバブルメモリーと通信するためのインターフェースを含む。ユーザーＩ／Ｆ部５０は、タッチパネルディスプレイ５１（以降、単にディスプレイ５１と呼ぶ）や図示しないキー入力部を含む。ディスプレイ５１は、制御部１０の制御に基づいて様々な情報を表示する表示パネルと、当該表示パネルに重ねられたタッチ検出パネルとを備え、静電容量方式、抵抗膜式、光学式等の周知の方法によって人の指等のポインティングオブジェクトによるタッチ操作を検出する。そしてディスプレイ５１は、当該タッチ操作を示す情報（例えばタッチ開始位置やタッチ終了位置の座標等）を制御部１０に出力する。ディスプレイ５１は表示部および操作入力部に相当する。
【００１１】
制御部１０は、図示しないＣＰＵやＲＯＭやＲＡＭや不揮発性メモリーを備え、ＣＰＵはＲＯＭや不揮発性メモリーに記録された制御プログラム１１を、ＲＡＭや不揮発性メモリーを用いて実行することができる。当該制御プログラム１１は、ディスプレイ５１に様々な情報を表示し、ディスプレイ５１から取得したタッチ操作を示す情報に基づいてディスプレイ５１に対する操作（例えば、タップ、スワイプ、ピンチイン、ピンチアウト等を含む）を検知し当該操作を受け付けると当該操作に対応する処理をプリンター１の各部を制御して実行させる機能をプリンター１に実現させるプログラムである。特に、プリンター１の設定画面を表示し、設定値に不整合が生じた際に再設定対象の設定項目を自動的に表示対象とする表示制御機能が制御プログラム１１には含まれている。なお設定画面には複数の設定項目が提示され、ユーザーは各設定項目に対し設定値を変更することができる。各設定項目において設定されている設定値を示す情報は、ＲＡＭや不揮発性メモリーに記録されており、ユーザーの変更操作に応じて当該情報が書き換えられる。
【００１２】
１−２：設定画面の構成：
図２Ａおよび図２Ｂは、プリンター１のコピー機能に関する設定画面を示す図である。当該設定画面においては、第一の設定ページとしての基本設定画面５１１（図２Ａを参照）と第二の設定ページとしての詳細設定画面５１２（図２Ｂを参照）とが切り替え可能に表示される。制御部１０は、基本設定タブ５１１ａがタップされたことを検知すると基本設定画面５１１を表示させ、詳細設定タブ５１２ａがタップされたことを検知すると詳細設定画面５１２を表示させる。
【００１３】
コピー機能に関する複数の設定項目の設定を行うための各設定ボタンは、基本設定画面５１１または詳細設定画面５１２のいずれか一方に表示される。基本設定画面５１１には、コピー機能において設定変更される頻度が高い設定項目の設定ボタンが表示される。詳細設定画面５１２には、基本設定画面５１１に表示されない残りの設定項目（基本設定画面５１１の設定項目と比較して設定変更の頻度が高くない詳細設定の項目）の設定ボタンが表示される。
【００１４】
基本設定画面５１１には、両面設定ボタン５１１ｂと濃度設定ボタン５１１ｃとカラー設定ボタン５１１ｄと印刷部数設定部５１１ｅとスタートボタンｂ１とが含まれる。両面設定ボタン５１１ｂは、両面印刷に関する設定項目の設定を行うためのボタンであり、現状設定されている設定値を提示する機能と、設定変更の要求を受け付ける機能とを備えている。具体的には、両面設定ボタン５１１ｂには、設定項目名としての「両面設定」の文字と、現状設定されている設定値としての「片面→両面」の文字が表示されている。両面設定ボタン５１１ｂがタップされたことを検知すると制御部１０は、両面印刷に関する設定項目の設定値の選択肢（「片面→両面」、「片面→片面」等）を示すボタンを提示する。選択肢を示すボタンのうちのいずれかがタップされたことを検知すると制御部１０は、当該選択肢を両面印刷に関する設定項目の設定値としてＲＡＭに記録する。そして制御部１０は、選択肢を示すボタンの提示を終了し、現状設定されている設定値を示す文字を新たに設定された設定値を示す文字に更新して両面設定ボタン５１１ｂを表示させる。
【００１５】
濃度設定ボタン５１１ｃは、印刷濃度に関する設定項目の設定を行うためのボタンであり、現状設定されている設定値を提示する機能と、設定変更の要求を受け付ける機能とを備えている。モノクロボタン５１１ｄ１およびカラーボタン５１１ｄ２は、カラー印刷に関する設定項目の設定であって具体的にはカラーまたはモノクロのいずれかを選択するためのボタンである。選択された状態のボタンは選択されていない状態のボタンと比較して強調表示される。印刷部数設定部５１１ｅは、印刷部数を設定するための数値テキストボックスである。
【００１６】
図２Ｃは、詳細設定画面５１２に表示されるコンテンツを模式的に示した図である。詳細設定画面５１２には、図２Ｃに示すように、倍率設定ボタン５１２ｂ、用紙サイズ設定ボタン５１２ｃ、用紙種類設定ボタン５１２ｄ、給紙方法設定ボタン５１２ｅ、割り付け設定ボタン５１２ｆ、印刷品質設定ボタン５１２ｇ、原稿種類設定ボタン５１２ｈ、フチなし印刷設定ボタン５１２ｉが表示されうる。これらの設定ボタンは、詳細設定画面５１２において一度に全てが表示される訳ではなく（全ての設定ボタンが定常的に表示される訳ではなく）、詳細設定画面５１２における設定ボタンのリストを表示するための表示領域ａに、一部の設定ボタンが表示される。表示領域ａには、表示対象領域ａ１に含まれる設定ボタンが表示される。図２Ｂに示す詳細設定画面５１２は、表示対象領域ａ１が図２Ｃに示す位置にある場合に表示対象領域ａ１に含まれる設定ボタンが表示領域ａに表示されていることを示している。
例えばユーザーが、表示領域ａ内で各設定ボタンが並ぶ方向においてスワイプ操作を行ったことを検知すると、制御部１０は当該スワイプ操作に応じて表示対象領域ａ１を設定ボタンのリストに対して相対的に移動させる。その結果、表示領域ａ内において設定ボタンのリストがスクロールして表示される。なお詳細設定画面５１２に表示することが割り当てられている設定項目の設定ボタン５１２ｂ〜５１２ｉはそれぞれ、現状設定されている設定値を提示する機能と、設定変更の要求を受け付ける機能とを備えている。
【００１７】
なお、用紙種類設定ボタン５１２ｄは用紙種類に関する設定項目の設定を行うためのボタンである。用紙種類とは、印刷媒体（記録媒体）の種類を意味し、例えば「普通紙」や「写真用紙」等が想定される。原稿種類設定ボタン５１２ｈは、原稿種類に関する設定項目の設定を行うためのボタンである。原稿種類とは、コピー元の原稿に含まれるコンテンツの種類を意味し、例えば、「写真」や「文字」等が想定される。
【００１８】
スタートボタンｂ１は、上述した各設定項目の設定値に基づくコピー処理の開始指示を受け付けるためのボタンである。スタートボタンｂ１がタップされたことを検知すると制御部１０は、画像読取部３０と印刷部２０と通信部４０とを制御してコピー処理を実行する。
【００１９】
１−３：詳細設定画面起動時の表示制御処理：
次に、基本設定画面５１１から詳細設定画面５１２への切り替えの際の表示制御処理について説明する。図３は、基本設定画面５１１が表示されている状態において詳細設定タブ５１２ａがタップされたことを制御部１０が検知した後の詳細設定画面５１２起動時の表示制御処理の流れを示すフローチャートである。図３に示す表示制御処理を終了した後、制御部１０は、例えば詳細設定画面５１２の設定ボタンに対するタップ操作に応じて設定値の変更を行うことができる。また、図３に示す表示制御処理を終了した後、制御部１０は詳細設定画面５１２に対するユーザーのスワイプ操作に応じて表示対象領域ａ１を移動させ設定ボタン群を表示領域ａ内でスクロール表示することができる。
【００２０】
図３に示す詳細設定画面５１２起動時の表示制御処理の説明に戻る。基本設定画面５１１が表示されている状態で詳細設定タブ５１２ｂがタップされたことを検知すると、制御部１０は図３に示す表示制御処理を実行する。はじめに制御部１０は、詳細設定画面５１２を表示させる（ステップＳ１００）。ステップＳ１００では、表示領域ａには、前回、詳細設定画面５１２が表示された際に別の画面に切り替わる直前の表示領域ａに表示されていた（表示対象領域ａ１に含まれていた）設定ボタンが配置される。
【００２１】
続いて制御部１０は、設定に不整合が生じているか否かを判定し（ステップＳ１０５）、不整合が生じていない場合（Ｎ判定）は、詳細設定画面５１２起動時の表示制御処理を終了する。なお不整合とは、同時には設定できない設定値が２以上の設定項目において設定されている状態を表す。
【００２２】
ステップＳ１０５において設定に不整合が生じていると判定された場合（Ｙ判定）、制御部１０は不整合が生じた後の初回の詳細設定画面５１２表示であるか否かを判定し（ステップＳ１１０）、初回であると判定された場合（Ｙ判定）、制御部１０は不整合を解消するために再設定を促す再設定対象設定項目を表示領域ａに移動させ表示させる（ステップＳ１１５）。具体的には制御部１０は、再設定対象設定項目の設定ボタンを含む位置まで設定ボタンのリストに対して表示対象領域ａ１を相対的に移動させることによって、表示領域ａにおいて設定ボタンのリストをスクロールさせ表示領域ａ内に再設定対象の設定ボタンが配置されるようにする。ステップＳ１１０において初回でないと判断された場合（Ｎ判定）は、表示制御処理を終了する。なお初回判定のために例えば、制御部１０は次のように初回フラグを制御してもよい。具体的には、不整合が生じた後、初めて表示制御処理を起動するまでに制御部１０は初回フラグをＯＮにセットする。そしてステップＳ１１０では当該初回フラグがＯＮであるか否かを判定し、ＯＮであればステップＳ１１５に進み、ＯＦＦであれば表示制御処理を終了する。なお、制御部１０は、ステップＳ１１５において初回フラグをＯＦＦとする。また制御部１０は、不整合が生じていない場合（不整合が解消した場合）も初回フラグをＯＦＦとする。
【００２３】
次に、ステップＳ１０５においてＮ判定（設定不整合なし）となる場合の例を具体的に説明する。本例に関連する設定項目とその現状の設定値を図４Ａに示す。すなわち現状は、両面印刷に関する設定項目（第一の設定項目に相当する）においては選択内容として「片面→片面」が設定されており、用紙種類に関する設定項目においては設定値として「写真用紙」が設定されており、給紙方法に関する設定項目（第二の設定項目に相当する）においては設定値として「下トレイ」が設定されている。なお、図４Ｂに示すように、プリンター１が備える二つの給紙トレイのうち上トレイには普通紙が載置されていることが不揮発性メモリーに記録されており、下トレイには写真用紙が載置されていることが不揮発性メモリーに記録されている。図４Ａに示す３つの設定項目に現状設定されている設定値は同時に設定可能な内容であり、給紙方法として設定されている下トレイには図４Ｂに示すように写真用紙が載置されているため、不整合は生じていない状態である。
【００２４】
図２Ａは、図４Ａおよび図４Ｂに示す内容が設定されている状態における基本設定画面５１１を示している。この図２Ａに示す基本設定画面５１１が表示されている状態で詳細設定タブ５１２ａがタップされたことを検知すると制御部１０は、図２Ｂに示す詳細設定画面５１２を表示させる。表示対象領域ａ１はデフォルト状態では設定ボタンのリストのうち先頭の設定ボタン（したがって倍率設定ボタン５１２ｂ）を含む位置に位置づけられている。図２Ｂは表示対象領域ａ１がデフォルト状態である場合を示している。デフォルト状態では、表示領域ａには倍率設定ボタン５１２ｂと用紙サイズ設定ボタン５１２ｃと用紙種類設定ボタン５１２ｄとが表示されており、給紙方法設定ボタン５１２ｅ以降の設定ボタンは表示されていない（ユーザーがスワイプ操作を行ってスクロールさせれば表示される）。
【００２５】
なおデフォルト状態では図２Ｂに示すように先頭の設定項目から表示されるが、詳細設定画面５１２においてユーザーがスワイプ操作を行って表示される設定項目を変更した場合、制御部１０は詳細設定画面５１２の表示を終了して別画面に切り替わる直前の表示対象領域ａ１の設定ボタンのリストに対する位置をＲＡＭに記録しておき、次に基本設定画面５１１から詳細設定画面５１２に切り替わる際にその表示対象領域ａ１に含まれる設定項目を表示する。
【００２６】
次に、ステップＳ１０５において不整合有りと判定され、かつ、ステップＳ１１０において初回であると判定される場合の例を説明する。例えば図４Ａおよび図４Ｂに示す内容が設定されている状態において、基本設定画面５１１においてユーザーが両面設定ボタン５１１ｂを操作して設定値を「片面→両面」に変更すると、写真用紙に両面印刷することはできないため、両面印刷に関する設定項目の設定値と用紙種類に関する設定項目の設定値とが不整合を生じた状態となる。そのため制御部１０は、不整合を解消するために設定値を自動変更できる設定項目に関しては設定値を自動的に変更する。また制御部１０は、設定値を自動変更できない設定項目に関しては設定値を変更せずにユーザー自身が変更するようにユーザーに促す。なお自動変更できる設定項目は、ユーザーに選択の余地がないためプリンター１側が自動的に設定値を変更可能とされる項目であり、自動変更できない設定項目は、ユーザーに選択の余地があるためプリンター１側が自動的に設定値を変更できないとされる項目である。
【００２７】
具体的には制御部１０は、用紙種類に関する設定項目の設定値を図４Ｃに示すように「写真用紙」から「普通紙」に自動変更する。なおこの際、用紙種類に関する設定項目の設定値を「写真用紙」から「普通紙」に自動変更した旨をユーザーに通知してもよい。用紙種類を「写真用紙」から「普通紙」に自動変更しても、下トレイには写真用紙が載置されたままであると考えられるため、給紙方法に関する設定項目の設定値を写真用紙が載置されている「下トレイ」から普通紙が載置されている「上トレイ」に変更するか、または、給紙方法に関する設定項目の設定値を「下トレイ」のまま変更せずに下トレイに載置されている印刷用紙を写真用紙から普通紙に入れ替えるか、いずれかを行う必要がある。ユーザーがどちらを望むかプリンター１側では判断できないため、給紙方法に関する設定項目の設定値を制御部１０は自動変更しない。自動変更しないかわりに、制御部１０はユーザーに給紙方法に関する設定項目の再設定を次のようにして促す。
【００２８】
図５Ａは、図２Ａに示す基本設定画面５１１が表示されている状態において、両面印刷に関する設定項目の設定値を「片面→片面」から「片面→両面」に変更した直後の基本設定画面５１１を示している。両面印刷に関する設定項目の設定値が「片面→片面」から「片面→両面」に変更されると制御部１０は、詳細設定タブ５１２ａに、不整合が生じたために再設定を必要とする設定項目が詳細設定画面５１２に存在することを示すための注意喚起マーク５１２ａ１を表示させる。
【００２９】
注意喚起マーク５１２ａ１が表示された詳細設定タブ５１２ａがタップされたことを検知すると制御部１０は上述した表示制御処理を開始する。まずステップＳ１００において制御部１０は詳細設定画面５１２を表示する。前回詳細設定画面５１２から別画面に切り替わる直前の表示対象領域ａ１が図２Ｃに示す位置であったとすると、今回、図５Ａに示す基本設定画面５１１から詳細設定画面５１２への切り替わった直後のステップＳ１００においては、図２Ｃに示す表示対象領域ａ１に含まれる倍率設定ボタン５１２ｂと用紙サイズ設定ボタン５１２ｃと用紙種類設定ボタン５１２ｄが、図５Ｂに示すように詳細設定画面５１２の表示領域ａに表示される。その後、表示対象領域ａ１を図２Ｃに示す位置から図５Ｃに示す位置に移動させることで詳細設定画面５１２の表示領域ａにおいて設定ボタンのリストをスクロールさせる。すなわち図５Ｄに示すように給紙方法設定ボタン５１２ｅが表示領域ａ内の先頭になるまで図５Ｂに示す状態から設定ボタンのリストが自動的にスクロールされる。その結果、表示領域ａには給紙方法設定ボタン５１２ｅの他、割り付け設定ボタン５１２ｆと印刷品質設定ボタン５１２ｇとが表示される。なお制御部１０は、再設定が必要であることをユーザーに認識させるために給紙方法設定ボタン５１２ｅに表示されている「下トレイ」の文字の近傍にも注意喚起マーク５１２ｅ１を表示させる。
【００３０】
このように本実施形態では、基本設定画面５１１に割り振られている設定項目の設定変更によって詳細設定画面５１２に割り振られている設定項目の設定値と不整合が生じた場合に、不整合が生じてから初めてユーザーが詳細設定タブ５１２ａをタップしたことに応じて詳細設定画面５１２が表示されたタイミングで、設定ボタンのリストを自動的にスクロールさせて再設定が必要な設定ボタンを表示対象とする。その結果、ユーザーは再設定が必要な設定項目の設定ボタンを容易に見つけることができる。再設定対象の設定ボタンが自動的に表示対象となりユーザーはスワイプ操作等を行って自身で設定ボタンのリストをスクロールさせる必要がないため、ユーザーの手間を軽減することができる。また、詳細設定画面５１２への切り替え後、表示対象領域ａ１を図２Ｃに示す位置から図５Ｃに示す位置に移動させるスクロールの過程を見せることで、給紙方法に関する設定項目の再設定をユーザーに意識させやすい。
【００３１】
ステップＳ１１０において初回でないと判定される場合、すなわち、不整合が生じた後２回目以降に詳細設定画面５１２が表示される場合には、上述した自動スクロールは行われない。２回目以降は、再設定の必要がある設定項目をユーザーは認識できていると考えられる。２回目以降も初回と同様に毎回上述の自動スクロールを行うとかえって使い勝手を悪くなる可能性がある。そのため制御部１０は、初回のみ上述の自動スクロールを行い、不整合が生じた状態のままであっても２回目以降に詳細設定画面５１２が表示される場合にはステップＳ１００で説明したように前回表示時の表示対象領域ａ１に含まれる設定ボタンを表示する。もちろん、新たな不整合が発生していた場合には、前の不整合が生じたままの２回目以降の切り替えであっても、新たな不整合が発生して最初の切り替えであれば、自動スクロールを行うようにする。
【００３２】
２．他の実施形態：
尚、本発明の技術的範囲は、上述した実施例に限定されるものではなく、本発明の要旨を逸脱しない範囲内において種々変更を加え得ることは勿論である。例えば、上記実施形態では、不整合が生じるような設定変更を第一の設定ページで行った後、第二の設定ページへの切り替え操作をユーザーが行うと、表示領域ａ内に切り替え直後は表示されていなかった第二の設定項目がスクロールされて最終的に表示される実施形態を説明したが、第二の設定ページに切り替わった直後に第二の設定項目が表示領域ａに表示されてもよい（スクロールの過程は表示されなくてもよい）。
【００３３】
また、上記実施形態では、不整合が生じるような設定変更を第一の設定ページで行った後、第二の設定ページへの切り替え操作をユーザーが行ったことに応じて、第二の設定ページの表示領域内に第二の設定項目を表示させる例を説明したが、必ずしも第二の設定ページへの切り替え操作をユーザーが行ったことがトリガーでなくてもよい。例えば、第一の設定項目に対して第二の設定項目の設定値と不整合が生じる設定値が設定されると、第一の設定ページから第二の設定ページへ自動的に表示を切り替えるとともに第二の設定項目を第二の設定ページの表示領域内に表示させてもよい。したがってこの場合、ユーザーは第二の設定ページへの切り替え操作を行わなくても、第二の設定ページが表示され、なおかつ第二の設定ページの表示領域内に第二の設定項目が表示されるため、ユーザーの手間をより軽減することができる。
【００３４】
なお、上記実施形態においては、再設定を必要とする設定項目が１項目である例を説明したが、再設定を必要とする設定項目が複数存在する場合もあり得る。その場合は、各設定項目に対して予め決められた優先順位に基づいて、再設定対象の複数の設定項目のうち優先順位の高い設定項目に関して、表示領域に表示するようにしてもよい。なお、第一実施形態においては、第二の設定項目の設定値を自動変更できる場合には第二の設定項目の設定値を自動変更することを説明したが、自動変更した設定項目を表示領域に表示するようにしてもよい。そうすることで自動変更した設定項目およびその設定値をユーザーに案内するようにしてもよい。
【００３５】
なお、上記実施形態においては、設定ボタンのリストをスクロールさせて表示領域ａ内に再設定対象の設定ボタンを表示させたが、設定ボタンのリストにおいて再設定対象の設定ボタンの順序を入れ替えることによって表示領域ａ内に再設定対象の設定ボタンを配置するようにしてもよい。
【００３６】
なお、本発明はプリンター以外にも様々な電子機器に適用することができる。また、請求項に記載された各部の機能は、構成自体で機能が特定されるハードウェア資源、プログラムにより機能が特定されるハードウェア資源、又はそれらの組み合わせにより実現される。また、これら各部の機能は、各々が物理的に互いに独立したハードウェア資源で実現されるものに限定されない。
【符号の説明】
【００３７】
１…プリンター、１０…制御部、１１…制御プログラム、２０…印刷部、３０…画像読取部、４０…通信部、５０…ユーザーＩ／Ｆ部、５１…タッチパネルディスプレイ（ディスプレイ）、５１１…基本設定画面、５１１ａ…基本設定タブ、５１１ｂ…両面設定ボタン、５１１ｃ…濃度設定ボタン、５１１ｄ…カラー設定ボタン、５１１ｄ１…モノクロボタン、５１１ｄ２…カラーボタン、５１１ｅ…印刷部数設定部、５１２…詳細設定画面、５１２ａ…詳細設定タブ、５１２ａ１…注意喚起マーク、５１２ｂ…倍率設定ボタン、５１２ｂ…詳細設定タブ、５１２ｂ…倍率設定ボタン、５１２ｃ…用紙サイズ設定ボタン、５１２ｄ…用紙種類設定ボタン、５１２ｅ…給紙方法設定ボタン、５１２ｅ１…注意喚起マーク、５１２ｆ…割り付け設定ボタン、５１２ｇ…印刷品質設定ボタン、５１２ｈ…原稿種類設定ボタン、５１２ｉ…フチなし印刷設定ボタン、ａ…表示領域、ａ１…表示対象領域、ｂ１…スタートボタン
【図１】
0006561855.tif 000002
【図２】
0006561855.tif 000003
【図３】
0006561855.tif 000004
【図４】
0006561855.tif 000005
【図５】
0006561855.tif 000006